(57)【要約】【課題】出射ロスをより確実に抑制することができる照明ランプ及び照明装置を提供することを目的としている。【解決手段】発光素子を含む長尺状の光源ユニットと、光源ユニットの長手方向に延びるように形成され、光源ユニットを収容する筒状のカバーと、を備え、カバーは、光源ユニットの発光素子の光照射側である正面側に位置する第１領域と、第１領域に接続され、第１領域との接続位置から光源ユニットの背面側にかけて位置する第２領域とを含み、第２領域の外面には、発光素子から発せられた光を反射する反射膜が形成されているものである。【選択図】図１Ｂ
2016146260.tif 000002
【特許請求の範囲】
【請求項１】
発光素子を含む長尺状の光源ユニットと、
前記光源ユニットの長手方向に延びるように形成され、前記光源ユニットを収容する筒状のカバーと、
を備え、
前記カバーは、
前記光源ユニットの前記発光素子の光照射側である正面側に位置する第１領域と、
前記第１領域に接続され、前記第１領域との接続位置から前記光源ユニットの背面側にかけて位置する第２領域とを含み、
前記第２領域の外面には、
前記発光素子から発せられた光を反射する反射膜が形成されている
ことを特徴とする照明ランプ。
【請求項２】
前記第１領域の外面には、
前記発光素子から発せられた光を拡散する拡散膜が形成されている
ことを特徴とする請求項１に記載の照明ランプ。
【請求項３】
前記カバーには、
前記第１領域に形成された前記拡散膜及び前記第２領域に形成された前記反射膜を覆うように、前記拡散膜及び前記反射膜上に透明膜が形成されている
ことを特徴とする請求項２に記載の照明ランプ。
【請求項４】
前記第１領域の外面には、
前記透明膜上に、前記カバーを構成する材料の屈折率よりも小さい屈折率を有する第１低屈折率膜が形成されている
ことを特徴とする請求項３に記載の照明ランプ。
【請求項５】
前記第１領域及び前記第２領域の外面には、
前記透明膜上に、前記カバーを構成する材料の屈折率よりも小さい屈折率を有する第１低屈折率膜が形成されている
ことを特徴とする請求項３に記載の照明ランプ。
【請求項６】
前記第１領域の外面には、
前記拡散膜上に、前記カバーを構成する材料の屈折率よりも小さい屈折率を有する第１低屈折率膜が形成されている
ことを特徴とする請求項２に記載の照明ランプ。
【請求項７】
前記第１領域の内面には、
前記カバーを構成する材料の屈折率よりも小さい屈折率を有する第２低屈折率膜が形成されている
ことを特徴とする請求項１〜６のいずれか一項に記載の照明ランプ。
【請求項８】
前記第１領域は、
光拡散材が分散している樹脂で構成され、
前記第２領域は、
光反射材が分散している樹脂で構成されている
ことを特徴とする請求項１に記載の照明ランプ。
【請求項９】
前記光源ユニットは、
前記発光素子が実装された基板と、
前記基板が取り付けられ、前記第２領域の内面に配置された放熱部材とをさらに含む
ことを特徴とする請求項１〜８のいずれか一項に記載の照明ランプ。
【請求項１０】
前記光源ユニットは、
前記発光素子が実装され、前記第２領域の内面に配置された基板を含む
ことを特徴とする請求項１〜８のいずれか一項に記載の照明ランプ。
【請求項１１】
請求項１〜１０のいずれか一項に記載の照明ランプを備えた
ことを特徴とする照明装置。
【発明の詳細な説明】
【技術分野】
【０００１】
本発明は、照明ランプ及び照明装置に関する。
【背景技術】
【０００２】
従来の照明ランプとして、発光素子を有する光源ユニットと、光源ユニットが内側に配設された筒状透光部材と、を備えたものがある。発光素子は、たとえば、発光ダイオード（ＬＥＤ）と、光の波長を変換する蛍光材料と、によって、擬似的な白色光を出射するものである。
【０００３】
そのような照明ランプは、蛍光灯、白熱電球等が用いられた照明ランプと比較して、小型であり、高効率であり、長寿命である。そして、近年の、発光素子の発光効率の向上、光束の改善等に伴って、そのような照明ランプは、ますます普及している。
【０００４】
蛍光灯、白熱電球等が用いられた照明ランプでは、筒状透光部材として、ガラスが用いられていた。しかし、上述の従来の照明ランプでは、発光ダイオードの発熱が少なく、また、発光原理が異なることに起因して、筒状透光部材として、ポリカーボネート樹脂、アクリル樹脂等の樹脂製品が用いられる。また、発光ダイオードが点光源であるため、点灯時に生じる輝点が、眩しさ、不快感等の原因となる。
【０００５】
また、蛍光灯を含む照明ランプの多くは、室内等の上部（たとえば、天井）に取り付けられている。そして、照明ランプは、照明ランプの取付位置より下側の空間を明るくする役割を担う。たとえば、蛍光灯を採用した照明ランプでは、蛍光塗料膜が形成された筒状管のうち、円周方向の全面が発光する。また、発光ダイオードを採用した照明ランプでは、筒状のカバーのうち、ヒートシンクが配置されている領域を除いた領域から、光が照射される。
【０００６】
たとえば、発光ダイオードを採用した照明ランプが天井に取り付けられた場合において、照明ランプのカバーのうち、天井側に対向する領域からも、光が通過してくる。この領域を通過した光は、天井側に進むことになる。すなわち、この光は、照明ランプの取付位置より下側の空間に直接進まず、たとえば天井面に進む。したがって、照明ランプの取付位置より下側の空間を、効率的に明るくすることができなくなってしまう（出射ロス）。
【０００７】
そこで、出射ロスを抑制するために、照明ランプを取り付ける照明装置は、天井側に進む光を反射する反射面が形成された器具本体を備えているものが提案されている（たとえば、特許文献１参照）。
【先行技術文献】
【特許文献】
【０００８】
【特許文献１】特開２０１２−２５６６０３号公報
【発明の概要】
【発明が解決しようとする課題】
【０００９】
反射面を有さない器具本体を備えている照明装置では、上述の照明ランプを取り付けた場合に、出射ロスを抑制することができないという課題がある。また、反射面を有する器具本体を備えている照明装置においても、照明ランプを取り付けた場合に、より効率的に出射ロスを抑制することができないという課題がある。
【００１０】
本発明は、以上のような課題を解決するためになされたもので、出射ロスをより確実に抑制することができる照明ランプ及び照明装置を提供することを目的としている。
【課題を解決するための手段】
【００１１】
本発明に係る照明ランプは、発光素子を含む長尺状の光源ユニットと、光源ユニットの長手方向に延びるように形成され、光源ユニットを収容する筒状のカバーと、を備え、カバーは、光源ユニットの発光素子の光照射側である正面側に位置する第１領域と、第１領域に接続され、第１領域との接続位置から光源ユニットの背面側にかけて位置する第２領域とを含み、第２領域の外面には、発光素子から発せられた光を反射する反射膜が形成されているものである。
【発明の効果】
【００１２】
本発明に係る照明ランプによれば、上記構成を有しているため、出射ロスをより確実に抑制することができる。
【図面の簡単な説明】
【００１３】
【図１Ａ】本発明の実施の形態１に係る照明ランプ１を備えた照明装置６００の説明図である。
【図１Ｂ】本発明の実施の形態１に係る照明ランプ１の斜視図である。
【図２】図１Ｂに示す照明ランプ１のＡ−Ａ断面図である。
【図３】本発明の実施の形態１に係る照明ランプ１のカバー２０の変形例１である。
【図４】本発明の実施の形態１に係る照明ランプ１のカバー２０の変形例２である。
【図５】本発明の実施の形態１に係る照明ランプ１のカバー２０の変形例３である。
【図６】本発明の実施の形態２に係る照明ランプ１Ｂの断面図である。
【図７】本発明の実施の形態３に係る照明ランプ１Ｃの断面図である。
【図８】本発明の実施の形態４に係る照明ランプ１Ｄの断面図である。
【図９】本発明の実施の形態５に係る照明ランプ１Ｅの断面図である。
【発明を実施するための形態】
【００１４】
以下、本発明に係る照明ランプ１の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１５】
実施の形態１．
図１Ａは、本実施の形態１に係る照明ランプ１を備えた照明装置６００の説明図である。図１Ａに基づいて、照明装置６００について説明する。
本実施の形態１に係る照明ランプ１は、出射ロスをより確実に抑制することができる改良が加えられたものである。
【００１６】
［照明装置６００の構成説明］
照明装置６００は、固定具（図示せず）を介してたとえば天井に取り付けられ、照明ランプ１が点灯することによって床面、室内空間などに光が照射される。図１に示すように、照明装置６００には、照明ランプ１に給電して照明ランプ１を点灯させる照明器具５００と、着脱自在の照明ランプ１とを備えている。
【００１７】
照明器具５００は、器具本体１４０と、照明ランプ１の上側に配設される反射板１２０とを備えているものである。また、照明器具５００は、給電口金６が取り付けられ、給電口金６と電気的に接続される給電ソケット１００と、アース口金５が取り付けられ、アース口金５と電気的に接続されるアースソケット１１０とを備えているものである。なお、給電口金６及びアース口金５を合わせて口金３０とも称する。ここで、給電ソケット１００及びアースソケット１１０は、照明ランプ１を機械的に支持する役割も有している。また、器具本体１４０には、点灯装置１３０が収納されている。点灯装置１３０は、スイッチ（図示省略）をＯＮの状態に切り替えると給電ソケット１００を介して照明ランプ１に給電し、スイッチをＯＦＦの状態に切り替えると給電を停止する電源装置（図示省略）が収納される。
【００１８】
照明ランプ１は、たとえば円筒状の外郭であるカバー２０と、カバー２０の一端側に取り付けられた給電口金６と、カバー２０の他端側に取り付けられたアース口金５と、カバー２０に収納され、複数の発光素子１１が設けられた光源ユニット１０（図１Ｂ参照）とを備えているものである。
【００１９】
なお、照明装置６００は図１Ａに示した形態以外のものであってもよい。たとえば、照明装置６００は、複数の照明ランプ１を着脱自在に取り付けられるものであってもよいし、天井に埋め込まれるものであってもよい。
また、照明装置６００は、天井以外に取り付けられるものであってもよい。たとえば、照明装置６００は、卓上に設置されて卓上を照らすものであってもよいし、壁に固定具を介して取り付けられるものであってもよいし、他の場所あるいは用途で用いられるものであってもよい。
さらに、照明装置６００は、反射板１２０を備えていない態様であってもよい。後述するように、本実施の形態１に係る照明ランプ１では、カバー２０の第２領域２０Ｂの外面には、発光素子１１から発せられた光を反射する反射膜２０ｂが形成されているため、反射板１２０を備えていないものであっても、出射ロスを抑制することができるからである。
【００２０】
［照明ランプ１の構成説明］
図１Ｂは、本実施の形態１に係る照明ランプ１の斜視図である。図２は、図１Ｂに示す照明ランプ１のＡ−Ａ断面図である。なお、図１Ｂでは、説明の都合上、カバー２０内に収容されている光源ユニット１０の様子も示すため、カバー２０の一部が開放された状態を示している。また、図１Ｂでは、放熱部材１３の図示を省略している。
【００２１】
照明ランプ１は、発光素子１１を含み、光を照射する長尺状の光源ユニット１０と、光源ユニット１０の長手方向に延びるように形成され、光源ユニット１０を収容する円筒状のカバー２０と、カバー２０の両端に配置されている口金３０と、を備えている。
【００２２】
光源ユニット１０は、複数の発光素子１１と、複数の発光素子１１が実装されている基板１２と、ヒートシンクに対応する放熱部材１３とを含むものである。
【００２３】
発光素子１１は、複数であり、基板１２に実装される。発光素子１１は、発光ダイオードと、光の波長を変換する蛍光材料と、によって、擬似的な白色光を出射するものである。発光素子１１は、たとえば、発光面の輝度が見る方向によらず略一定の、ランバート配光を行うものであることが好ましい。なお、発光素子１１を基板１２に接合する接合材（図示省略）の構成は、発光素子１１と基板１２とを接合することができれば、特に限定されるものではない。また、基板１２に形成された、発光素子１１と電気的に接続される回路パターン（図示省略）等の構成も、発光素子１１と回路パターン等とを接続できれば、特に限定されるものではない。
【００２４】
基板１２は、たとえば、ガラスエポキシ樹脂で構成することができる。なお、基板１２を構成する材料は、このガラスエポキシ樹脂に限定されるものではない。また、基板１２のうち、発光素子１１と電気的に接続される部分以外の部分は、反射性の樹脂で覆われることが好ましい。これにより、発光素子１１から照射された光のうち、カバー２０の正面側に直接進まない光も、カバー２０の正面側に向けることができる。
また、基板１２は、たとえば基板１２などと比較すると熱伝導性が高い放熱部材１３上に接合される。
放熱部材１３は、円筒状のカバー２０の内面に接触するように設けられている。なお、放熱部材１３は、カバー２０の内面に取り付けられている。たとえば、放熱部材１３は、カバー２０の内面に接着剤で接着されて、カバー２０に固定されている。
【００２５】
カバー２０は、光源ユニット１０を収容しているものである。カバー２０は、たとえば、ガラスなどで構成することができる。カバー２０は、ガラス以外にも、樹脂などで構成することもできる。また、カバー２０の厚さは、たとえば、０．５〜２ｍｍ程度であることが好ましい。
【００２６】
ここで、カバー２０は、光源ユニット１０の発光素子１１の光照射側である正面側に位置する第１領域２０Ａと、第１領域２０Ａに接続され、第１領域２０Ａとの接続位置から光源ユニット１０の背面側にかけて位置している第２領域２０Ｂとを含む。本実施の形態１では、カバー２０が、第１領域２０Ａと第２領域２０Ｂとから構成されている態様を示している。第２領域２０Ｂの外面には、発光素子１１から発せられた光を反射する反射膜２０ｂが形成されている。なお、本実施の形態１では、カバー２０が円筒状であるため、カバー２０の外面は周面（外周面）になっており、カバー２０の内面も周面（内周面）になっている。
【００２７】
ここで、カバー２０の内側に収容される光源ユニット１０が配置されている空間を、カバー２０の内側空間と規定し、カバー２０を通過した光が進む空間を、カバー２０の外側空間と規定する。このように規定した場合には、カバー２０の外面は、カバー２０の外側空間とカバー２０との界面に対応し、カバー２０の内表面は、カバー２０の内側空間とカバー２０との界面に対応する。
【００２８】
第１領域２０Ａ及び第２領域２０Ｂが形成されている部分について、カバー２０を断面視したときの中心角を用いて説明する。図２に示すように、カバー２０の中心をＯとする。ここで、中心Ｏは、光源ユニット１０の中心を通る縦軸と、カバー２０を照射面側と背面側に二分割する横軸とが交わる点である。
第２領域２０Ｂの端部Ｂ及び中心Ｏを通る直線ＢＯと、中心Ｏを通る横軸とのなす角度をθとする。本実施の形態１では、角度θは、図２に示すように、０°よりも大きい値としている。すなわち、カバー２０をカバー２０の長手方向に直交する方向の断面で見たときには、円弧状の第１領域２０Ａの中心角よりも、円弧状の第２領域２０Ｂの中心角の方が大きい。なお、本実施の形態１では、第１領域２０Ａも第２領域２０Ｂも、縦軸に対して対称に形成されている態様を例に説明しているが、それに限定されるものではない。たとえば、第１領域２０Ａは、縦軸を境として右側の部分の方が、左側の部分よりも大きく形成されていてもよい。第２領域２０Ｂも同様である。
【００２９】
カバー２０と放熱部材１３とは、接着剤で接着されるが、この接着剤は、シリコーン系の接着剤を採用するとよいが、アクリル系など他のものを採用していてもよい。
【００３０】
カバー２０の背面側、つまり光源ユニット１０が配置されている側に反射膜２０ｂが形成される。すなわち、カバー２０の第２領域２０Ｂの外面には、反射膜２０ｂが形成されている。反射膜２０ｂの膜厚は、特に限定されるものではないが、たとえば、０．１〜２０μｍ程度とするとよい。反射膜２０ｂの膜厚は、反射膜２０ｂの形成方法によって適宜変更することができる。
反射膜２０ｂは、反射性が高い膜であれば、特に限定されるものではないが、たとえばアルミ、銀蒸着などの金属薄膜などを採用することができる。その他に、反射膜２０ｂには、アクリル樹脂などの透明性の高い樹脂に、アルミ粉末、二酸化チタンなどの高反射材を分散した樹脂膜を採用することもできる。反射膜２０ｂは、予め成形されたフィルムをカバー２０に貼り付ける態様であってもよい。
【００３１】
また、カバー２０の正面（光照射）側には、拡散膜２０ａが形成される。すなわち、カバー２０の第１領域２０Ａの外面には、拡散膜２０ａが形成されている。拡散膜２０ａの膜厚は、特に限定されるものではないが、たとえば５〜４０μｍ程度とするとよい。拡散膜２０ａは、アクリル、ウレタン樹脂等の高い透明性を有する樹脂をバインダーとして、可視光帯域における反射率が高い拡散材が分散されたものである。バインダーは、透明性が高ければよく、他のものであってもよい。光拡散材として、硫酸バリウム、炭酸カルシウム、シリカ粒子等の無機材、アクリルパウダー等の有機材、シリコーンパウダー、等が挙げられる。光拡散材は、可視光帯域における反射率が高ければ、他のものであってもよい。拡散材の粒子径は、前述の膜厚と比較して小さくする。
また、拡散膜２０ａは、塗布時に流動性を有するものであり、加熱によって硬化するものであり、硬化前の状態が液状または粉体状のものであるとよい。また、拡散膜２０ａは、予めフィルム上に成形されたシートを、カバー２０に貼り付ける態様であってもよい。
【００３２】
［本実施の形態１に係る照明ランプ１の有する効果］
本実施の形態１に係る照明ランプ１は、発光素子１１から発せられた光を反射する反射膜２０ｂが形成されているカバー２０を備えているので、出射ロスをより確実に抑制することができる。
たとえば、照明ランプ１が取り付けられる照明装置６００に、反射板１２０が設けられていなくても、出射ロスを抑制することができる。また、照明装置６００に器具効率を向上するための高反射性器具を設けなくてもよい分、照明装置６００器具の簡略化などをすることができる。
【００３３】
本実施の形態１に係る照明ランプ１は、カバー２０の内面でなく、外面に拡散膜２０ａが形成されているため、膜の内部応力が密着力を向上する方向に働き、より拡散膜２０ａが剥離しにくくなっている。
【００３４】
本実施の形態１に係る照明ランプ１は、光源ユニット１０から出射された光の一部は、拡散膜２０ａで散乱されて、カバー２０の外面に出射される。また、一部の散乱光は、カバー２０の内面方向に反射されるが、初めに拡散膜２０ａに照射されなかった光とともに、反射膜２０ｂで反射し、効率良く拡散膜２０ａに照射されることになる。このように、本実施の形態１に係る照明ランプ１では、カバー２０の第１領域２０Ａの形成部分で光を拡散しながら、カバー２０から光を透過させることができる。したがって、本実施の形態１に係る照明ランプ１は、光取出し効率が高く、かつ、発光素子１１の輝点が見えにくいものとなっている。
【００３５】
［変形例１］
図３は、本実施の形態１に係る照明ランプ１のカバー２０の変形例１である。図３に示すように、角度θの数値がマイナスであってもよい。すなわち、本実施の形態１では、端部Ｂの位置が、光源ユニット１０の正面寄りに位置し、角度θの数値が正である場合を例に説明したが、それに限定されるものではない。たとえば、端部Ｂの位置が光源ユニット１０の背面寄りに位置し、角度θの数値が負であってもよい。ここで、図３において、角度θが正であるときは、直線ＯＢが横軸の上側に位置しており、角度θが負であるときは、直線ＯＢが横軸の下側に位置しているときである。変形例１に係る態様であっても、本実施の形態１に係る照明ランプ１と同様の効果を得ることができる。
【００３６】
［変形例２］
図４は、本実施の形態１に係る照明ランプ１のカバー２０の変形例２である。図４に示すように、カバー２０には、光源ユニット１０の正面に第２領域２０Ｂが形成されている。この新たな第２領域２０Ｂは、カバー２０のうちの、２つの端部ＢＢの間の部分である。このように、変形例２では、カバー２０は、２つの第２領域２０Ｂを含む。このため、カバー２０には、それぞれの第２領域２０Ｂに反射膜２０ｂが形成されている。変形例２に係る態様であっても、本実施の形態１に係る照明ランプ１と同様の効果を得ることができる。
【００３７】
［変形例３］
図５は、本実施の形態１に係る照明ランプ１のカバー２０の変形例３である。本実施の形態１では、図５に示すように、変形例３では、拡散膜２０ａの一部と反射膜２０ｂの一部とが重なるように形成されている態様である。具体的には、拡散膜２０ａの端部は、反射膜２０ｂの端部上に重なるように形成されている。すなわち、カバー２０には、拡散膜２０ａ及び反射膜２０ｂが重なるように形成されている第３領域２０Ｃを含む。変形例３に係る態様であっても、本実施の形態１に係る照明ランプ１と同様の効果を得ることができる。
【００３８】
実施の形態２．
本実施の形態２に係る照明ランプ１Ｂについて、図６を用いて説明する。なお、以下では、実施の形態１と重複又は類似する説明については、適宜、簡略化又は省略している。図６は、本実施の形態２に係る照明ランプ１Ｂの断面図である。
照明ランプ１Ｂでは、カバー２０の外壁面に形成された、拡散膜２０ａ及び反射膜２０ｂを覆うように形成された透明膜２０ｃを有する。すなわち、カバー２０には、第１領域２０Ａに形成された拡散膜２０ａ及び第２領域２０Ｂに形成された反射膜２０ｂを覆うように、拡散膜２０ａ及び反射膜２０ｂ上に透明膜２０ｃが形成されている。透明膜２０ｃは、透明性、耐候性、硬度の高い膜であることが好ましく、アクリル樹脂、ウレタン樹脂、シリコーン樹脂などが挙げられる。
【００３９】
透明膜２０ｃは、熱硬化性、紫外線硬化などの硬化樹脂であることが好ましい。さらに、透明膜２０ｃは、硬化前に流動性を有した状態であり、スプレー、浸漬などの方法により形成される。また、透明膜２０ｃの膜厚は特に問わないが、５〜１５μｍ程度の厚さが好ましい。このようにして得られる透明膜２０ｃは、下層の拡散膜２０ａ、反射膜２０ｂを、紫外線などの物理ストレス、引掻きなどの機械的ストレス、薬液飛散などの化学的ストレスから保護し、剥離を防ぐことが可能となる。以上の構成により、光の取出し効率が高く、かつ、輝点が見えにくく、かつ、各種の外的ストレスに強い照明ランプ１Ｂを得ることができる。
【００４０】
実施の形態３．
本実施の形態３に係る照明ランプ１Ｃについて、図７を用いて説明する。なお、以下では、実施の形態１〜実施の形態２と重複又は類似する説明については、適宜、簡略化又は省略している。図７は、本実施の形態３に係る照明ランプ１Ｃの断面図である。
照明ランプ１Ｃでは、カバー２０の外壁面に形成された、拡散膜２０ａと、反射膜２０ｂと、拡散膜２０ａと反射膜２０ｂを覆うように形成された透明膜２０ｃと、透明膜２０ｃを覆うように、拡散膜２０ａの領域に形成された第１低屈折率膜２０ｄを有する。第１低屈折率膜２０ｄは、たとえば、カバー２０を構成する材料の屈折率よりも小さくするとよい。すなわち、第１領域２０Ａの外面には、透明膜２０ｃ上に、カバー２０を構成する材料の屈折率よりも小さい屈折率を有する第１低屈折率膜２０ｄが形成されている。
【００４１】
第１低屈折率膜２０ｄは、透明性が高く、屈折率が低いことを特徴とする。材質として、フッ素系樹脂、シリコーン系樹脂、中空構造を持つナノシリカを分散した各種樹脂膜などが挙げられるが、屈折率が低ければ特に問わない。
【００４２】
屈折率として、１．２５〜１．４程度の範囲内であることが好ましい。さらに、第１低屈折率膜２０ｄの膜厚は、光の干渉作用を利用した反射防止効果が得られるように、８０〜１２０ｎｍ程度の膜厚であることが好ましい。その形成方法は特に問わないが、スプレー、浸漬、印刷方法などが挙げられる。このように得られる第１低屈折率膜２０ｄにより、空気との界面における光の反射が低減され、光取出し効率を向上することが可能となり、さらに光取出し効率の高い照明ランプ１Ｃを得ることができる。
【００４３】
なお、以上では、第１低屈折率膜２０ｄは、材料利用効率の観点から、カバー２０の外壁面に形成された拡散膜２０ａの領域にのみ、第１低屈折率膜２０ｄが形成されているが、外壁面全体を覆うように形成されてもよい。すなわち、第１領域２０Ａ及び第２領域２０Ｂの外面には、透明膜２０ｃ上に、カバー２０を構成する材料の屈折率よりも小さい屈折率を有する第１低屈折率膜２０ｄが形成されている態様であってもよい。
【００４４】
また、第１低屈折率膜２０ｄは、カバー２０の外壁面側にのみ、第１低屈折率膜２０ｄが形成されているが、内壁面側に形成されてもよい。すなわち、第１領域２０Ａの内面には、カバー２０を構成する材料の屈折率よりも小さい屈折率を有する第２低屈折率膜（図示省略）が形成されている態様であってもよい。この場合、内壁面側の反射光を低減することができ、より光取出し効率を向上することができる。
【００４５】
また、第１低屈折率膜２０ｄは、透明膜２０ｃ上に形成されているが、透明膜２０ｃがなく、拡散膜２０ａ上に直接形成されてもよい。すなわち、第１領域２０Ａの外面には、拡散膜２０ａ上に、カバー２０を構成する材料の屈折率よりも小さい屈折率を有する第１低屈折率膜２０ｄが形成されている態様であってもよい。
【００４６】
実施の形態４．
本実施の形態４に係る照明ランプ１Ｄについて、図８を用いて説明する。なお、以下では、実施の形態１〜実施の形態３と重複又は類似する説明については、適宜、簡略化又は省略している。図８は、本実施の形態４に係る照明ランプ１Ｄの断面図である。
【００４７】
光源ユニット１０は、発光素子１１が実装され、第２領域２０Ｂの内面に配置された基板１２を含む。すなわち、照明ランプ１Ｄでは、カバー２０の内側に配置された光源ユニット１０が、発光素子１１と、基板１２と、を有している。そして、基板１２は、基板１２の発光素子１１が実装されていない側である裏面と、カバー２０の内面とが接合されている。
基板１２は、各種のフレキシブル基板であることが好ましく、カバー２０の形状に合わせることができる。また、基板１２が透明基板であることも含む。このような構成により、さらに光取出し効率の高い照明ランプ１Ｄを得ることができる。また、拡散膜２０ａとの距離を長くすることができるため、より輝点の見え難い照明ランプ１Ｄを得ることができる。
【００４８】
実施の形態５．
本実施の形態５に係る照明ランプ１Ｅについて、図９を用いて説明する。なお、以下では、実施の形態１〜実施の形態４と重複又は類似する説明については、適宜、簡略化又は省略している。図９は、本実施の形態５に係る照明ランプ１Ｅの断面図である。
【００４９】
本実施の形態５において、第１領域２０Ａは、光拡散材が分散している樹脂で構成され、第２領域２０Ｂは、光反射材が分散している樹脂で構成されている。すなわち、カバー２０は、拡散膜２０ａ及び反射膜２０ｂが形成されておらず、カバー２０を構成する樹脂として予め設定されたものを採用し、拡散膜２０ａ及び反射膜２０ｂの有する機能と同様の機能を持たせている。具体的には次の通りである。
【００５０】
照明ランプ１Ｅでは、カバー２０が、拡散部分２０ｅと、反射部分２０ｆを有する。拡散部分２０ｅは、光拡散材を分散した樹脂からなる。光拡散材として、炭酸カルシウム、硫酸バリウム、シリカ微粒子等の無機材、アクリル、スチレン等の有機材、シリコーンパウダー等が挙げられる。また、樹脂として、透明性の高いアクリル、ポリカーボネート等が挙げられる。樹脂は、透明性が高いものであれば特に問わない。
【００５１】
また、光拡散材は、濃度分布が生じないように、均一に分散されていることとする。反射部分２０ｆの材質は、反射率が高ければ特に問わないが、光反射材を分散した樹脂が好ましく、アルミなどの金属であってもよい。
【００５２】
光反射材として、二酸化チタン、リソポンなどの白色度、隠ぺい性、屈折率が高いものが好ましく、硫酸バリウム、炭酸カルシウムなどであってもよい。樹脂として、拡散部分２０ｅと同様のものが挙げられる。拡散部分２０ｅでは、光を透過しつつ、拡散するため、拡散材の濃度を濃くしすぎないことが重要であるが、反射部分２０ｆは、光を透過、吸収せずに反射することが重要となり、拡散材の濃度を向上する、もしくは反射率、白色度、屈折率の高いものを選定することが好ましい。このような２種類の部分を有するカバー２０の製造方法は特に問わないが、二色押出し成形などが挙げられる。このような構成を有することで、光取出し効率が高く、配光性の良い照明ランプ１Ｅを得ることができる。
【符号の説明】
【００５３】
１  照明ランプ、１Ｂ  照明ランプ、１Ｃ  照明ランプ、１Ｄ  照明ランプ、１Ｅ  照明ランプ、５  アース口金、６  給電口金、１０  光源ユニット、１１  発光素子、１２  基板、１３  放熱部材、２０  カバー、２０Ａ  第１領域、２０Ｂ  第２領域、２０Ｃ  第３領域、２０ａ  拡散膜、２０ｂ  反射膜、２０ｃ  透明膜、２０ｄ  第１低屈折率膜、２０ｅ  拡散部分、２０ｆ  反射部分、３０  口金、１００  給電ソケット、１１０  アースソケット、１２０  反射板、１３０  点灯装置、１４０  器具本体、５００  照明器具、６００  照明装置、Ｂ  端部、ＢＢ  端部、Ｏ  中心、θ  角度。
【図１Ａ】
2016146260.tif 000003
【図１Ｂ】
2016146260.tif 000004
【図２】
2016146260.tif 000005
【図３】
2016146260.tif 000006
【図４】
2016146260.tif 000007
【図５】
2016146260.tif 000008
【図６】
2016146260.tif 000009
【図７】
2016146260.tif 000010
【図８】
2016146260.tif 000011
【図９】
2016146260.tif 000012